(57)【要約】【課題】複数の機能を備えた口腔衛生装置を提供する。【解決手段】電動歯ブラシ１には、振動源としての振動発生装置７０と、この振動発生装置７０を収容する取付ケース１２と、この取付ケース１２に形成されたブラシ取付軸５２に取り付けられる第１機能部としての歯ブラシ２０とが設けられている。歯ブラシ２０は、ブラシ取付軸５２から取り外すことができる。ブラシ取付軸５２の上端部分には、第２機能部としてのステインケアアタッチメント４０が設けられている。歯ブラシ２０には、ステインケアアタッチメント４０を収容する空間２５が形成されている。【選択図】図２
2012223432.tif 000002
【特許請求の範囲】
【請求項１】
振動源としての振動発生装置と、この振動発生装置を収容する本体ケースと、この本体ケースに形成された取付軸に取り付けられる第１機能部とを備え、この第１機能部を前記取付軸から取り外すことができる口腔衛生装置において、
前記取付軸の先端部分に第２機能部が設けられていること、
ならびに、前記第２機能部を収容する空間が前記第１機能部に形成されていること
を特徴とする口腔衛生装置。
【請求項２】
請求項１に記載の口腔衛生装置において、
前記第１機能部が歯ブラシであること
を特徴とする口腔衛生装置。
【請求項３】
請求項１または２に記載の口腔衛生装置において、
前記第２機能部が前記取付軸に取り付けられること、
ならびに、前記第２機能部を前記取付軸から取り外すことができること
を特徴とする口腔衛生装置。
【請求項４】
請求項１〜３のいずれか一項に記載の口腔衛生装置において、
前記取付軸に空間が形成されていること、
ならびに、前記取付軸の空間に前記振動発生装置が収容されていること
を特徴とする口腔衛生装置。
【請求項５】
請求項１〜４のいずれか一項に記載の口腔衛生装置において、
当該口腔衛生装置の側面視において、前記第２機能部が前記本体ケースの中心線に対して後方に偏っていること
を特徴とする口腔衛生装置。
【発明の詳細な説明】
【技術分野】
【０００１】
本発明は、振動源としての振動発生装置と、この振動発生装置を収容する本体ケースと、この本体ケースに形成された取付軸に取り付けられる第１機能部とを備え、この第１機能部を取付軸から取り外すことができる口腔衛生装置に関する。
【背景技術】
【０００２】
上記口腔衛生装置として、特許文献１に記載の電動歯ブラシが知られている。
【先行技術文献】
【特許文献】
【０００３】
【特許文献１】特開平９−１６８５５４号公報
【発明の概要】
【発明が解決しようとする課題】
【０００４】
ところで、上記電動歯ブラシは歯磨き以外の機能を有していない。
このため、電動歯ブラシの多機能化という点において改善の余地がある。なお、ここでは電動歯ブラシの課題について言及したが、上記課題は電動歯ブラシ以外の口腔衛生装置（例えばステインケア装置）についても共通している。
【０００５】
本発明は上記課題を解決するためになされたものであり、その目的は、複数の機能を備えた口腔衛生装置を提供することにある。
【課題を解決するための手段】
【０００６】
上記目的を達成するための手段を以下に記載する。
・本発明の口腔衛生装置は、振動源としての振動発生装置と、この振動発生装置を収容する本体ケースと、この本体ケースに形成された取付軸に取り付けられる第１機能部とを備え、この第１機能部を前記取付軸から取り外すことができること、前記取付軸の先端部分に第２機能部が設けられていること、ならびに、前記第２機能部を収容する空間が前記第１機能部に形成されていることを特徴としている。
【０００７】
・この口腔衛生装置においては、前記第１機能部が歯ブラシであることが好ましい。
・この口腔衛生装置においては、前記第２機能部が前記取付軸に取り付けられること、ならびに、前記第２機能部を前記取付軸から取り外すことができることが好ましい。
【０００８】
・この口腔衛生装置においては、前記取付軸に空間が形成されていること、ならびに、前記取付軸の空間に前記振動発生装置が収容されていることが好ましい。
・この口腔衛生装置においては、当該口腔衛生装置の側面視において、前記第２機能部が前記本体ケースの中心線に対して後方に偏っていることが好ましい。
【発明の効果】
【０００９】
本発明によれば、複数の機能を備えた口腔衛生装置を提供することができる。
【図面の簡単な説明】
【００１０】
【図１】本発明の第１実施形態の電動歯ブラシについて、本体から歯ブラシおよびキャップが取り外された状態の斜視構造を示す斜視図。
【図２】同実施形態の電動歯ブラシについて、（ａ）はその正面構造を示す正面図、（ｂ）は同（ａ）のＡ−Ａ線の断面構造を示す断面図。
【図３】同実施形態の電動歯ブラシについて、（ａ）は本体から歯ブラシおよびキャップが取り外された状態の本体の側面構造を示す側面図、（ｂ）は同（ａ）の本体の正面構造を示す正面図。
【図４】同実施形態の電動歯ブラシについて、（ａ）は本体から歯ブラシ、キャップ、およびステインケアアタッチメントが取り外された状態の平面構造を示す平面図、（ｂ）は図３（ａ）のＢ−Ｂ線の断面構造を示す断面図、（ｃ）は本体にステインケアアタッチメントが取り付けられた状態においての図３（ｂ）のＣ−Ｃ線の断面構造を示す断面図。
【図５】同実施形態の電動歯ブラシについて、ステインケアアタッチメントおよびその周辺の斜視構造を示す斜視図。
【図６】本発明の第２実施形態の電動歯ブラシについて、（ａ）は本体から歯間ブラシが取り外された状態の本体の一部分の正面構造を示す正面図、（ｂ）は同（ａ）の本体に歯間ブラシが取り付けられた状態の斜視構造を示す斜視図。
【図７】本発明の第３実施形態の電動歯ブラシについて、（ａ）はブラシ取付軸部材から歯ブラシが取り外された状態の側面構造を示す側面図、（ｂ）はブラシ取付軸部材に歯ブラシが取り付けられた状態の正面構造を示す正面図。
【図８】同実施形態の電動歯ブラシについて、図７（ｂ）のＤ−Ｄ線の断面構造を示す断面図。
【図９】本発明の第４実施形態の電動歯ブラシについて、（ａ）はブラシ取付軸から歯ブラシが取り外された状態の側面構造を示す側面図、（ｂ）はブラシ取付軸に歯ブラシが取り付けられた状態の正面構造を示す正面図。
【図１０】同実施形態の電動歯ブラシについて、図９（ｂ）のＥ−Ｅ線の断面構造を示す断面図。
【図１１】本発明のその他の実施形態について、本体からキャップが取り外された状態の携帯用のステインケア装置の斜視構造を示す斜視図。
【発明を実施するための形態】
【００１１】
（第１実施形態）
図１を参照して、口腔衛生装置としての電動歯ブラシ１の構造について説明する。
電動歯ブラシ１には、ユーザーが把持する本体１０と、歯を磨く歯ブラシ２０と、本体１０に取り付けられることにより歯ブラシ２０を収容するキャップ３０と、歯の着色汚れを取り除くステインケアアタッチメント４０とが設けられている。なお、歯ブラシ２０は「第１機能部」に相当する。また、ステインケアアタッチメント４０は「第２機能部」に相当する。
【００１２】
本体１０には、ユーザーが把持する把持ケース１１と、この把持ケース１１に取り付けられる取付ケース１２とが設けられている。キャップ３０は、取付ケース１２への取り付けおよび取付ケース１２からの取り外しが可能な状態で取付ケース１２に取り付けられる。図２（ａ）に示されるように、キャップ３０が取付ケース１２に取り付けられているとき、操作部材１７がキャップ３０に覆われる。また、キャップ３０の外周面と把持ケース１１の外周面とが同一の面上に位置する。なお、取付ケース１２は「本体ケース」に相当する。
【００１３】
取付ケース１２には、筒状に形成されたブラシ取付軸５２と、ユーザーが電動歯ブラシ１の動作を操作するための操作部材１７とが設けられている。なお、ブラシ取付軸５２は「取付軸」に相当する。
【００１４】
歯ブラシ２０は、ブラシ取付軸５２への取り付けおよびブラシ取付軸５２からの取り外しが可能な状態でブラシ取付軸５２に取り付けられている。歯ブラシ２０には、複数のブラシ毛２１と、これらブラシ毛２１を保持するケース２２とが設けられている。
【００１５】
ここで、電動歯ブラシ１の方向を次のように定義する。
（ａ）本体１０の長手方向を「電動歯ブラシ１の上下方向」とする。この上下方向において、把持ケース１１から歯ブラシ２０に向かう方向を「電動歯ブラシ１の上方」とし、同上下方向において上方とは反対方向を「電動歯ブラシ１の下方」とする。
（ｂ）ブラシ毛２１の長手方向を「電動歯ブラシ１の前後方向」とする。この前後方向において、ブラシ毛２１の基端から先端に向かう方向を「電動歯ブラシ１の前方」とし、同前後方向において前方とは反対方向を「電動歯ブラシ１の後方」とする。
【００１６】
図２を参照して、電動歯ブラシ１の内部構造について説明する。
図２（ｂ）に示されるように、本体１０の内部には、電動歯ブラシ１の電源としての電池１３と、スイッチ１６が実装された回路基板１４と、電池１３および回路基板１４を互いに接続する接続部材１５と、振動源となる振動発生装置７０とが設けられている。
【００１７】
振動発生装置７０には、駆動源となる電動モータ７１と、電動モータ７１の出力軸７２に取り付けられた分銅７３とが設けられている。分銅７３は、出力軸７２に固定されている。また分銅７３の重心は、出力軸７２に対して偏心している。
【００１８】
取付ケース１２には、ブラシ取付軸５２が形成されたアウターケース５０と、このアウターケース５０に取り付けられたインナーケース６０とが設けられている。
インナーケース６０には、電池１３が取り付けられた電池取付部分６１と、回路基板１４が取り付けられた基板取付部分６２と、振動発生装置７０が取り付けられた装置取付部分６３とが設けられている。
【００１９】
アウターケース５０には、操作部材１７が取り付けられた筒状のケース本体５１と、ケース本体５１の上端部分から上方に突出して形成されたブラシ取付軸５２とが設けられている。
【００２０】
ブラシ取付軸５２には、筒状の軸部分５２Ａと、この軸部分５２Ａの上端部分を覆う平面部分５２Ｂとが設けられている。ブラシ取付軸５２の内部には、空間５３が形成されている。
【００２１】
平面部分５２Ｂには、同平面部分５２Ｂから上方に突出する突起部分５４が形成されている。ステインケアアタッチメント４０は、突起部分５４への取り付けおよび突起部分５４からの取り外しが可能な状態で突起部分５４に取り付けられている。
【００２２】
ブラシ取付軸５２の空間５３には、インナーケース６０の装置取付部分６３の大部分、振動発生装置７０の電動モータ７１の大部分、出力軸７２、および分銅７３が収容されている。また、ブラシ取付軸５２の空間５３に振動発生装置７０が収容された状態においては、装置取付部分６３の外側面と軸部分５２Ａの内側面とが接触している。
【００２３】
歯ブラシ２０のケース２２には、ブラシ毛２１を保持する平板状の保持部分２３と、保持部分２３から下方に向けて延びるケース本体２４とが設けられている。
ケース本体２４の前面部分２４Ａは、上方に向かうにつれて後方に傾斜している。ケース本体２４の後面部分２４Ｂは、上方に向かうにつれて前方に傾斜している。ケース本体２４の前面部分２４Ａの傾斜度合は、ケース本体２４の後面部分２４Ｂの傾斜度合よりも大きい。このため、保持部分２３は、本体１０の中心線Ｃ１に対して後方に位置している。なお、本体１０の中心線Ｃ１は「本体ケースの中心線」に相当する。
【００２４】
ケース本体２４には、空間２５が形成されている。この空間２５は、ケース本体２４の前面部分２４Ａの傾斜および後面部分２４Ｂの傾斜と同様の形状として形成されている。すなわち、空間２５の前方の部分の傾斜度合が後方の部分の傾斜度合よりも大きい。
【００２５】
ケース本体２４の空間２５には、ステインケアアタッチメント４０が収容されている。ステインケアアタッチメント４０の上端は、ケース本体２４において空間２５を形成する壁面のうちの最も上方の部分よりも下方に位置している。すなわち、空間２５の上方の部分にはステインケアアタッチメント４０が存在していない部分が形成されている。
【００２６】
図１および図２を参照して、電動歯ブラシ１の動作について説明する。
歯ブラシ２０がブラシ取付軸５２に取り付けられた状態において、操作部材１７の操作によりスイッチ１６がオン操作されたとき、電池１３の電圧が電動モータ７１に印加される。そして、電動モータ７１の出力軸７２および分銅７３が回転することにより、電動モータ７１が振動する。この振動は、ブラシ取付軸５２を介して歯ブラシ２０およびステインケアアタッチメント４０のそれぞれに伝達される。
【００２７】
図２〜図４を参照して、ステインケアアタッチメント４０およびその周辺の構成について説明する。
図２（ｂ）に示されるように、ステインケアアタッチメント４０には、ブラシ取付軸５２の突起部分５４に取り付けられる基台４１と、歯の着色汚れを取り除く研磨部分４４とが設けられている。
【００２８】
基台４１には、ブラシ取付軸５２の突起部分５４に取り付けられる台座４２と、台座４２の上端部分から上方に向けて突出する芯部分４３とが設けられている。芯部分４３の上端部分には、芯部分４３の他の部分よりも拡径された拡径部分４３Ａが形成されている。
【００２９】
研磨部分４４は、台座４２の上端面および芯部分４３を外囲するように形成されている。研磨部分４４の上端部分には、上方に向かうにつれて前後方向の幅が小さくなる先細部分４４Ａが形成されている。研磨部分４４の素材としては、研磨剤入りのシリコンゴムが用いられている。
【００３０】
図３（ａ）および（ｂ）に示されるように、台座４２には、ブラシ取付軸５２の平面部分５２Ｂに対向する底面４２Ａと、図２の芯部分４３が取り付けられる上面４２Ｂと、底面４２Ａおよび上面４２Ｂを接続する接続部分４２Ｃとが設けられている。接続部分４２Ｃには、一対の平面部分４２Ｄが形成されている。
【００３１】
底面４２Ａの外周縁の形状は、ブラシ取付軸５２の平面部分５２Ｂの外周縁の形状に対応している。上面４２Ｂの外周縁の形状は、研磨部分４４の下端部分の外周縁の形状に対応している。上面４２Ｂの中心線Ｃ２および研磨部分４４の中心線は、同軸上に位置している。
【００３２】
ブラシ取付軸５２の突起部分５４の上端部分には、突起部分５４から前方に向けて突出する爪部分５４Ａと、突起部分５４から後方に向けて突出する爪部分５４Ａとが設けられている。前方の爪部分５４Ａは後方の爪部分５４Ａよりも大きい。
【００３３】
図４（ｂ）に示されるように、台座４２には、図４（ａ）のブラシ取付軸５２の突起部分５４が挿入される挿入孔４２Ｅと、挿入孔４２Ｅよりも上方に形成された２つの回り止め部分４２Ｆとが形成されている。挿入孔４２Ｅは、図３の台座４２の底面４２Ａを上下方向に貫通している。各回り止め部分４２Ｆには、図４（ａ）の突起部分５４の各爪部分５４Ａが接触する。
【００３４】
図４（ａ）に示されるように、ブラシ取付軸５２の中心線Ｃ３は、本体１０の中心線Ｃ１に対して後方に位置している。ブラシ取付軸５２の突起部分５４の中心線Ｃ４は、ブラシ取付軸５２の中心線Ｃ３に対して後方に位置している。
【００３５】
図４（ｃ）に示されるように、ステインケアアタッチメント４０がブラシ取付軸５２の突起部分５４に取り付けられた状態において、台座４２の中心線Ｃ２すなわち研磨部分４４の中心線は突起部分５４の中心線Ｃ４と同軸上に位置する。
【００３６】
図４および図５を参照して、ステインケアアタッチメント４０の取付態様について説明する。
図５（ａ）に示されるように、ブラシ取付軸５２の突起部分５４にステインケアアタッチメント４０の台座４２を挿入する。
【００３７】
図５（ｂ）に示されるように、ブラシ取付軸５２の突起部分５４に台座４２を挿入した後、ステインケアアタッチメント４０の正面と電動歯ブラシ１の正面とが一致するようにステインケアアタッチメント４０を回転させる。
【００３８】
図５（ｃ）に示されるように、ステインケアアタッチメント４０の正面と電動歯ブラシ１の正面とが一致したとき、図４（ｃ）に示されるように台座４２の回り止め部分４２Ｆとブラシ取付軸５２の突起部分５４の爪部分５４Ａとが接触する。これにより、ブラシ取付軸５２に対するステインケアアタッチメント４０の時計回り方向の回転が規制される。
【００３９】
ブラシ取付軸５２からステインケアアタッチメント４０を取り外すとき、図５（ｃ）の状態においてステインケアアタッチメント４０をブラシ取付軸５２に対して反時計回り方向に回転させる。そして、図５（ｂ）の状態においてステインケアアタッチメント４０を上方に移動させる。
【００４０】
（実施形態の効果）
本実施形態の電動歯ブラシ１によれば以下の効果が得られる。
（１）電動歯ブラシ１においては、ブラシ取付軸５２に歯ブラシ２０が取り付けられる。また、ブラシ取付軸５２にステインケアアタッチメント４０が設けられている。この構成によれば電動歯ブラシ１は、歯ブラシ２０による歯磨き機能と、ステインケアアタッチメント４０による歯の着色汚れの除去機能とが得られる。すなわち、口腔内の清掃に関する複数の機能を有する電動歯ブラシ１を提供することができる。
【００４１】
（２）電動歯ブラシ１においては、歯ブラシ２０が本体１０に取り付けられた状態のとき、ステインケアアタッチメント４０が歯ブラシ２０のケース本体２４の空間２５に収容される。この構成によれば、歯ブラシ２０を本体１０から取り外して別体のステインケアアタッチメントを本体１０に取り付ける構造と比較して、歯ブラシ２０を使用する状態からステインケアアタッチメント４０を使用する状態に変更する作業が容易になる。
【００４２】
（３）電動歯ブラシ１においては、内部に歯ブラシ２０およびステインケアアタッチメント４０のそれぞれが収容されている。この構成によれば、電動歯ブラシ１とは別のステインケアアタッチメントを本体１０に取り付ける構造と比較して携帯性が向上する。
【００４３】
（４）電動歯ブラシ１においては、ブラシ取付軸５２への取り付けおよび同ブラシ取付軸５２からの取り外しが可能な状態でステインケアアタッチメント４０がブラシ取付軸５２に取り付けられている。この構成によれば、ブラシ取付軸５２からステインケアアタッチメント４０を取り外した状態でステインケアアタッチメント４０を洗浄することができる。また、ステインケアアタッチメント４０を新しいステインケアアタッチメント４０に交換すること、およびブラシ取付軸５２への取り付け構造が共通する別のステインケアアタッチメントに交換することができる。
【００４４】
（５）電動歯ブラシ１においては、ブラシ取付軸５２に振動発生装置７０が収容されている。この構成によれば、振動発生装置７０がブラシ取付軸５２よりも下方に設けられる構成と比較して、振動発生装置７０とステインケアアタッチメント４０との間の距離が小さくなるため、振動発生装置７０により発生した振動がステインケアアタッチメント４０に伝達するまでの距離が小さくなる。これにより、振動発生装置７０の振動がステインケアアタッチメント４０に伝達するまでの間において同振動が減衰する度合が小さくなるため、振動発生装置７０の振動をステインケアアタッチメント４０および歯ブラシ２０に効率よく伝えることができる。
【００４５】
（６）また、ブラシ取付軸５２に振動発生装置７０が収容されることにより、振動発生装置７０がブラシ取付軸５２よりも下方に設けられる構造と比較して、本体１０の小型化を図ることができる。
【００４６】
（７）電動歯ブラシ１においては、電動歯ブラシ１の側面視においてステインケアアタッチメント４０が本体１０の中心線Ｃ１に対して後方に偏っている。この構成によれば、ブラシ取付軸５２の平面部分５２Ｂに対応するケース２２の部分から保持部分２３に向かうにつれてケース本体２４の前面部分２４Ａを後方に向けて傾斜させることができる。また、前面部分２４Ａが傾斜していることにより、ユーザーが奥歯を磨くときにケース２２が歯に接触しにくくなる。
【００４７】
（８）電動歯ブラシ１においては、歯ブラシ２０によりステインケアアタッチメント４０が覆われている。この構成によれば、歯ブラシ２０によりステインケアアタッチメント４０が覆われていない構成と比較して、ステインケアアタッチメント４０を清潔に保つことができる。
【００４８】
（９）電動歯ブラシ１においては、ステインケアアタッチメント４０の台座４２に一対の平面部分４２Ｄが形成されている。この構成によれば、ステインケアアタッチメント４０を回転させるときに同ステインケアアタッチメント４０を把持しやすくなるため、ブラシ取付軸５２へのステインケアアタッチメント４０の取り付け作業および同ブラシ取付軸５２からのステインケアアタッチメント４０の取り外し作業を容易に行うことができる。
【００４９】
（第２実施形態）
図６に示される本実施形態の電動歯ブラシ２は、第１実施形態の電動歯ブラシ１の一部を変更したものとして構成されている。このため、以下では第１実施形態の電動歯ブラシ１と異なる点の詳細を説明し、同実施形態と共通する構成については同一の符号を付してその説明の一部または全部を省略する。なお、図６においては、歯ブラシ２０およびキャップ３０が省略された状態の電動歯ブラシ２が示されている。
【００５０】
第１実施形態の電動歯ブラシ１では、第２機能部としてステインケアアタッチメント４０がブラシ取付軸５２に取り付けられている。これに対して、本実施形態の電動歯ブラシ２では、第２機能部として歯間ブラシ８０がブラシ取付軸５２に取り付けられている。また、ブラシ取付軸５２に第３機能部としてのステインケアアタッチメント９０が設けられている。
【００５１】
図６（ａ）に示されるように、歯間ブラシ８０には、ブラシ取付軸５２の突起部分５４に取り付けられる台座８１と、台座８１の上端部分から上方に向けて突出するブラシ部分８２とが設けられている。
【００５２】
台座８１は、第１実施形態のステインケアアタッチメント４０の台座４２と同じ構造を有している。また、歯間ブラシ８０のブラシ部分８２の中心線Ｃ５は、本体１０の中心線Ｃ１よりも後方側に位置している。
【００５３】
ブラシ取付軸５２の突起部分５４の上端面には、第３機能部としての球面状のステインケアアタッチメント９０が設けられている。ステインケアアタッチメント９０の素材としては、研磨剤入りのシリコンゴムが用いられている。
【００５４】
図６（ｂ）に示されるように、歯間ブラシ８０がブラシ取付軸５２に取り付けられた状態のとき、図６（ａ）のステインケアアタッチメント９０が台座８１に収容されている。この状態において、ブラシ取付軸５２に歯ブラシ２０が取り付けられたとき、図２の歯ブラシ２０の空間２５に歯間ブラシ８０が収容される。
【００５５】
（実施形態の効果）
本実施形態の電動歯ブラシ２によれば、第１実施形態の（２）〜（９）の効果に加え、以下の（１０）の効果が得られる。
【００５６】
（１０）電動歯ブラシ２においては、ブラシ取付軸５２に歯ブラシ２０および歯間ブラシ８０が取り付けられる。また、ブラシ取付軸５２にステインケアアタッチメント９０が設けられている。この構成によれば、歯ブラシ２０による歯磨き機能と、歯間ブラシ８０による歯間の汚れを除去する機能と、ステインケアアタッチメント９０による歯の着色汚れの除去機能とが得られる。すなわち、口腔内の清掃に関する複数の機能を有する電動歯ブラシ２を提供することができる。
【００５７】
（第３実施形態）
図７に示される本実施形態の電動歯ブラシ３は、第１実施形態の電動歯ブラシ１から本体１０および歯ブラシ２０等をはじめとして電動歯ブラシの全体的な構成を変更したものに相当する。なお、以下では第１実施形態の電動歯ブラシ１と異なる点の詳細を説明し、同実施形態と共通する構成については同一の符号を付してその説明の一部または全部を省略する。
【００５８】
図７を参照して、電動歯ブラシ３の全体構成について説明する。
電動歯ブラシ３には、ユーザーが把持する把持ケース１００と、把持ケース１００の上端部分から上方に向けて突出するブラシ取付軸部材１１０と、歯を磨く歯ブラシ１２０とが設けられている。把持ケース１００には、電動歯ブラシ３の動作を操作するための操作部材１０３が設けられている。なお、把持ケース１００は「本体ケース」に相当する。また、歯ブラシ１２０は「第１機能部」に相当する。
【００５９】
ブラシ取付軸部材１１０の上端部分には、ステインケアアタッチメント１１３が設けられている。ステインケアアタッチメント１１３の素材としては、研磨剤入りのシリコンゴムが用いられている。なお、ステインケアアタッチメント１１３は「第２機能部」に相当する。
【００６０】
歯ブラシ１２０は、ブラシ取付軸部材１１０への取り付けおよびブラシ取付軸部材１１０からの取り外しが可能な状態でブラシ取付軸部材１１０に取り付けられている。歯ブラシ１２０には、複数のブラシ毛１２１と、これらブラシ毛１２１を保持するケース１２２とが設けられている。
【００６１】
図８を参照して、電動歯ブラシ３の内部構造について説明する。
把持ケース１００には、操作部材１０３が取り付けられたアウターケース１０１と、電源となる電池１３および振動源となる振動発生装置１３０が取り付けられたインナーケース１０２とが設けられている。
【００６２】
ブラシ取付軸部材１１０の下端部分の外周部分には、弾性部材１１５が取り付けられている。弾性部材１１５としてはＯリングが用いられている。ブラシ取付軸部材１１０の下端部分は、弾性部材１１５を介してアウターケース１０１に取り付けられている。
【００６３】
振動発生装置１３０には、駆動源としての電動モータ１３１と、電動モータ１３１の出力軸１３２に取り付けられたシャフト１３３と、シャフト１３３の上端部分に取り付けられた分銅１３４とが設けられている。シャフト１３３は、出力軸１３２に固定されている。分銅１３４は、シャフト１３３に固定されている。
【００６４】
ブラシ取付軸部材１１０の内部には、空間１１４が形成されている。シャフト１３３および分銅１３４は、空間１１４に収容されている。電動モータ１３１は、ブラシ取付軸部材１１０の空間１１４よりも下方に設けられている。
【００６５】
ブラシ取付軸部材１１０の上端部分には、シャフト１３３の上端部分を内部に収容する第１突起部分１１１と、第１突起部分１１１の上端面から上方に向けて突出する第２突起部分１１２とが設けられている。
【００６６】
第２突起部分１１２の上端部分には、同第２突起部分１１２の他の部分よりも拡径した拡径部分１１２Ａが形成されている。
第１突起部分１１１および第２突起部分１１２の周囲には、ステインケアアタッチメント１１３が設けられている。ステインケアアタッチメント１１３は、上方に向かうにつれて前後方向の幅が小さくなるように形成されている。
【００６７】
歯ブラシ１２０のケース１２２には、空間１２３が形成されている。この空間１２３には、ブラシ取付軸部材１１０およびステインケアアタッチメント１１３が収容されている。ステインケアアタッチメント１１３の上端は、ケース１２２において空間１２３を形成する壁面のうちの最も上方の部分よりも下方に位置している。すなわち、空間１２３の上方の部分には、ステインケアアタッチメント１１３が存在していない部分が形成されている。
【００６８】
（実施形態の効果）
本実施形態の電動歯ブラシ３によれば、第１実施形態の（１）および（２）の効果に加え、以下の（１１）および（１２）の効果が得られる。
【００６９】
（１１）電動歯ブラシ３においては、ブラシ取付軸部材１１０よりも下方に振動発生装置１３０の電動モータ１３１が設けられている。この構成によれば、ブラシ取付軸部材１１０に電動モータ１３１が収容される構成と比較して、ブラシ取付軸部材１１０の前後方向の幅を小さくすることができる。
【００７０】
（１２）電動歯ブラシ３においては、ブラシ取付軸部材１１０の下端部分が弾性部材１１５を介してアウターケース１０１に取り付けられている。この構成によれば、ブラシ取付軸部材１１０の上端部分が弾性部材１１５を支点として振動する。このため、ブラシ取付軸部材１１０が弾性部材１１５よりも上方の部分を支点として振動する構成と比較して、ブラシ取付軸部材１１０の上端部分の振幅が大きくなる。
【００７１】
（第４実施形態）
図９に示される本実施形態の電動歯ブラシ４は、第１実施形態の電動歯ブラシ１から本体１０および歯ブラシ２０等をはじめとして電動歯ブラシの全体的な構成を変更したものに相当する。なお、以下では第１実施形態の電動歯ブラシ１と異なる点の詳細を説明し、同実施形態と共通する構成については同一の符号を付してその説明の一部または全部を省略する。
【００７２】
図９を参照して、電動歯ブラシ４の全体構成について説明する。
電動歯ブラシ４には、ユーザーが把持する把持ケース１４０と、この把持ケース１４０から上方に向けて突出するブラシ取付軸１５０と、歯を磨くための歯ブラシ１６０とが設けられている。なお、把持ケース１４０は「本体ケース」に相当する。また、歯ブラシ１６０は「第１機能部」に相当する。
【００７３】
把持ケース１４０には、電動歯ブラシ４の動作を操作するための操作部材１４４が設けられている。
歯ブラシ１６０は、ブラシ取付軸１５０への取り付けおよびブラシ取付軸１５０からの取り外しが可能な状態でブラシ取付軸１５０に取り付けられている。歯ブラシ１６０には、複数のブラシ毛１６１と、これらブラシ毛１６１を保持するケース１６２とが設けられている。
【００７４】
ブラシ取付軸１５０の上端かつ前方の部分には、切欠部分１５１が形成されている。この切欠部分１５１には、ステインケアアタッチメント１５２が設けられている。ステインケアアタッチメント１５２の素材としては、研磨剤入りのシリコンゴムが用いられている。なお、ステインケアアタッチメント１５２は「第２機能部」に相当する。
【００７５】
図１０を参照して、電動歯ブラシ４の内部構造について説明する。
把持ケース１４０には、操作部材１４４が取り付けられた第１ケース１４１と、第１ケース１４１に取り付けられた第２ケース１４２と、電源となる電池１３および振動源となる振動発生装置１７０を保持する第３ケース１４３とが設けられている。
【００７６】
振動発生装置１７０としては、磁石とコイルとの間の磁力に基づいて駆動軸１７１を上下方向に往復運動させるリニアオシレータが用いられている。駆動軸１７１の上端部分には、ブラシ取付軸１５０が取り付けられている。
【００７７】
歯ブラシ１６０のケース１６２には、空間１６３が形成されている。この空間１６３には、ブラシ取付軸１５０が収容されている。ブラシ取付軸１５０の上端は、ケース１６２において空間１６３を形成する壁面のうちの最も上方の部分よりも下方に位置している。すなわち、空間１６３の上方の部分にはブラシ取付軸１５０が存在していない部分が形成されている。
【００７８】
（実施形態の効果）
本実施形態の電動歯ブラシ４によれば、第１実施形態の（１）および（２）の効果に加え、以下の（１３）および（１４）の効果が得られる。
【００７９】
（１３）電動歯ブラシ４においては、振動発生装置１７０としてリニアオシレータが設けられている。この構成によれば、振動発生装置７０または振動発生装置１３０が設けられる構成と比較して、振動数および振幅を大きくすることができる。
【００８０】
（１４）電動歯ブラシ４においては、ブラシ取付軸１５０の切欠部分１５１にステインケアアタッチメント１５２が設けられている。この構成によれば、ブラシ取付軸１５０の前後方向の幅が小さくなる。
【００８１】
（その他の実施形態）
本発明の実施態様は、第１〜第４実施形態の内容に限られるものではなく、例えば以下のように変更することもできる。また以下の変形例は第１〜第４実施形態についてのみ適用されるものではなく、異なる変形例同士を互いに組み合わせて実施することもできる。
【００８２】
・第１実施形態（図３）では、ブラシ取付軸５２への取り付けおよびブラシ取付軸５２からの取り外しが可能な状態でステインケアアタッチメント４０がブラシ取付軸５２に取り付けられるが、ステインケアアタッチメント４０とブラシ取付軸５２との関係を次のように変更することもできる。すなわち、ブラシ取付軸５２から取り外しができないようにステインケアアタッチメント４０をブラシ取付軸５２に固定することもできる。
【００８３】
・第１実施形態（図２）では、振動発生装置７０の電動モータ７１がブラシ取付軸５２の空間５３に収容されているが、電動モータ７１をブラシ取付軸５２よりも下方に設けることもできる。
【００８４】
・第１実施形態（図４）では、ステインケアアタッチメント４０の中心線すなわち台座４２の中心線Ｃ２がブラシ取付軸５２の中心線Ｃ３に対して後方に位置しているが、ブラシ取付軸５２の中心線Ｃ３とステインケアアタッチメント４０の中心線とを同軸とすることもできる。
【００８５】
・第２実施形態（図６）では、ステインケアアタッチメント９０がブラシ取付軸５２の突起部分５４に固定されているが、突起部分５４からの取り外しが可能な状態で突起部分５４にステインケアアタッチメント９０を取り付けることもできる。
【００８６】
・第２実施形態（図６）では、ステインケアアタッチメント９０がブラシ取付軸５２の突起部分５４に設けられているが、ステインケアアタッチメント９０に代えて、爪磨き用アタッチメントまたは歯茎マッサージアタッチメントを突起部分５４に設けることもできる。
【００８７】
・第１および第２実施形態（図１および図６）では、本体１０にキャップ３０が取り付けられているが、キャップ３０を省略することもできる。
・第３実施形態（図８）において、振動発生装置１３０に代えて振動発生装置１７０を用いることもできる。この場合、ブラシ取付軸部材１１０に振動発生装置１７０の駆動軸１７１が接続される。
【００８８】
・第１〜第４実施形態（図１、図６、図７、および図９）においては、第１機能部および第２機能部の組合せを次のように変更することもできる。
（Ａ）第１機能部として歯ブラシを備え、第２機能部として歯ブラシ、歯茎マッサージアタッチメント、ポイント磨きブラシ、爪磨き用アタッチメント、歯磨剤チューブ、および振動調整用の鐘のいずれか１つを備える。
【００８９】
（Ｂ）第１機能部として歯茎マッサージアタッチメントを備え、第２機能部として歯ブラシ、歯茎マッサージアタッチメント、ポイント磨きブラシ、爪磨き用アタッチメント、歯磨剤チューブ、振動調整用の鐘、歯間ブラシ、およびステインケアアタッチメントのいずれか１つを備える。
【００９０】
（Ｃ）第１機能部としてポイント磨きブラシを備え、第２機能部としてポイント磨きブラシ、歯ブラシ、歯茎マッサージアタッチメント、爪磨き用アタッチメント、歯磨剤チューブ、振動調整用の鐘、歯間ブラシ、およびステインケアアタッチメントのいずれか１つを備える。
【００９１】
（Ｄ）第１機能部として爪磨き用アタッチメントを備え、第２機能部として歯ブラシ、歯茎マッサージアタッチメント、ポイント磨きブラシ、歯磨剤チューブ、振動調整用の鐘、歯間ブラシ、およびステインケアアタッチメントのいずれか１つを備える。
【００９２】
（Ｅ）第１機能部としてステインケアアタッチメントを備え、第２機能部としてステインケアアタッチメント、歯ブラシ、歯茎マッサージアタッチメント、ポイント磨きブラシ、爪磨き用アタッチメント、歯磨剤チューブ、振動調整用の鐘、歯間ブラシ、およびペースト剤チューブのいずれか１つを備える。
【００９３】
（Ｆ）第１機能部として歯間ブラシを備え、第２機能部として歯間ブラシ、歯ブラシ、歯茎マッサージアタッチメント、ポイント磨きブラシ、爪磨き用アタッチメント、歯磨剤チューブ、および振動調整用の鐘のいずれか１つを備える。
【００９４】
・上記（Ａ）〜（Ｆ）の変形例のうちの振動調整用の錘を備える構成においては、本体１０への取り付けおよび本体１０からの取り外しが可能な状態で錘が本体１０に取り付けられる。そして、錘が本体１０に取り付けられた場合には、振動発生装置７０の振動が弱くなる。一方、錘が本体１０から取り外された場合には、振動発生装置７０の振動が強くなる。すなわち、本体１０に対する錘の取付状態を変更することにより振動発生装置７０の振動を調整することができる。
【００９５】
・第１〜第４実施形態（図１、図６、図７、および図９）では、ステインケアアタッチメント４０，９０，１１３，１５２がシリコンゴムにより形成されているが、ステインケアアタッチメントの構成を次のように変更することもできる。すなわち、金属材料にローレット加工を施すことによりステインケアアタッチメントを形成することもできる。
【００９６】
・第１〜第４実施形態（図１、図６、図７、および図９）では、本発明の口腔衛生装置を電動歯ブラシ１〜４として具体化した一例を示しているが、本発明の口腔衛生装置を電動歯ブラシ以外の装置として具体化することもできる。その一例として、図１１に示される携帯用のステインケア装置５が挙げられる。
【００９７】
この携帯用のステインケア装置５には、上記（Ｅ）の変形例に示される組み合わせの第１機能部および第２機能部が設けられる。また、このステインケア装置５において、ステインケアアタッチメント４０が取り付けられた図１１の状態は、第１実施形態の電動歯ブラシ１から歯ブラシ２０が省略された構成に相当する。
【００９８】
（口腔衛生装置の実施形態の参考例）
・ステインケア装置５から第２機能部を省略することもできる。
【符号の説明】
【００９９】
１，２，３，４…電動歯ブラシ（口腔衛生装置）、５…ステインケア装置（口腔衛生装置）、１２…取付ケース（本体ケース）、２０…歯ブラシ（第１機能部）、２５…空間、４０…ステインケアアタッチメント（第２機能部）、５２…ブラシ取付軸（取付軸）、５３…空間、７０…振動発生装置、８０…歯間ブラシ（第２機能部）、１００…把持ケース（本体ケース）、１１０…ブラシ取付軸部材（取付軸）、１１３…ステインケアアタッチメント（第２機能部）、１２０…歯ブラシ（第１機能部）、１２３…空間、１３０…振動発生装置、１４０…把持ケース（本体ケース）、１５０…ブラシ取付軸（取付軸）、１５２…ステインケアアタッチメント（第２機能部）、１６０…歯ブラシ（第１機能部）、１６３…空間、１７０…振動発生装置。
【図１】
2012223432.tif 000003
【図２】
2012223432.tif 000004
【図３】
2012223432.tif 000005
【図４】
2012223432.tif 000006
【図５】
2012223432.tif 000007
【図６】
2012223432.tif 000008
【図７】
2012223432.tif 000009
【図８】
2012223432.tif 000010
【図９】
2012223432.tif 000011
【図１０】
2012223432.tif 000012
【図１１】
2012223432.tif 000013